(57)【特許請求の範囲】
【請求項１】
圧縮機（53）が接続された冷媒回路（50）と、空気中の水分を吸着する吸着部材（51,52）と、該吸着部材（51,52）を収容するケーシング（11）とを備え、前記圧縮機（53）を作動させることで前記冷媒回路（50）に冷凍サイクルを行わせながら該ケーシング（11）内を流通する空気を前記吸着部材（51,52）で調湿する調湿装置であって、
前記ケーシング（11）内に配設されて、前記圧縮機（53）を起動させるときには、空気の流路を、室外空気を該ケーシング（11）内に流入させて前記吸着部材（51,52）を通過させた後に室外へ流出させる第１流路に設定する一方、室外空気を調湿して室内へ供給するときには、空気の流路を、室外空気を該ケーシング（11）内に流入させて前記吸着部材（51,52）を通過させた後に室内へ流入させる第２流路に設定する流路設定機構（41〜48,83,84）をさらに備え、
前記冷媒回路（50）には、表面に吸着剤を担持する２つの吸着熱交換器（51,52）が前記吸着部材として接続され、
前記吸着熱交換器（51,52）を通過する空気の湿度を調節するために、前記冷媒回路（50）の冷媒の循環方向を交互に切り換えることによって、２つの吸着熱交換器（51,52）の一方が水分を吸着する吸着動作を行い且つ他方が水分を脱離させる再生動作を行う状態と、一方が再生動作を行い且つ他方が吸着動作を行う状態とが交互に切り換わるように構成され、
前記第１流路は、前記ケーシング（11）内に流入した室外空気の一部が一方の前記吸着熱交換器（51）を通過して室外へ排出され、その残りが他方の前記吸着熱交換器（52）を通過して室外へ排出される流路である一方、
前記冷媒回路（50）には、膨張弁（55）が接続され、
前記圧縮機（53）を起動させるときには、液冷媒が該圧縮機（53）に吸入されないように前記膨張弁（55）の開度を絞った状態で、該圧縮機（53）を所定の運転状態に制御する起動制御を行い、
前記圧縮機（53）が運転されている状態において、前記膨張弁（55）が全閉状態であるときに所定の弁開条件が成立すると前記膨張弁（55）を開いて所定開度に固定し、前記膨張弁（55）が所定開度に固定された状態であるときに所定の弁閉条件が成立すると前記膨張弁（55）を全閉状態にする動作を、前記起動制御として行う
ことを特徴とする調湿装置。
【請求項２】
請求項１において、
前記ケーシング（11）内には、吸着部材（51,52）を収容する吸着部材室（37,38）と、室外空気を該吸着部材室（37,38）まで導く外気側通路（34）と、該吸着部材室（37,38）から空気を室外へ導く排気側通路（33）と、該吸着部材室（37,38）から空気を室内へ導く給気側通路（31）とが形成されており、
前記流路設定機構（41〜48,83,84）は、
前記吸着部材室（37,38）と、前記外気側通路（34）、前記排気側通路（33）及び前記給気側通路（31）のそれぞれとの間に設けられ、各通路を該吸着部材室（37,38）とそれぞれ断続させる開閉機構（41〜48,83,84）を有し、
該開閉機構（41〜48,83,84）をそれぞれ制御することで、前記外気側通路（34）と前記排気側通路（33）とを前記吸着部材室（37,38）を介して連通させて前記第１流路を形成する一方、前記外気側通路（34）と前記給気側通路（31）とを前記吸着部材室（37,38）を介して連通させて前記第２流路を形成する
ことを特徴とする調湿装置。
【請求項３】
請求項１又は２において、
前記弁開条件は、前記冷媒回路（50）が行う冷凍サイクルの高圧が第１高圧閾値より高くなるという条件と、該冷凍サイクルの低圧が第１低圧閾値より低くなるという条件との何れかを満たすという条件であり、
前記弁閉条件は、前記冷媒回路（50）が行う冷凍サイクルの高圧が第２高圧閾値より低くなるという条件、該冷凍サイクルの低圧が第２低圧閾値より高くなるという条件、及び前記圧縮機（53）の吸入冷媒の過熱度が所定の過熱閾値よりも小さいという条件の全てを満たすという条件であり、
前記第２高圧閾値が前記第１高圧閾値よりも低く、前記第２低圧閾値が前記第１低圧閾値よりも高い
ことを特徴とする調湿装置。
【発明の詳細な説明】
【技術分野】
【０００１】
本発明は、吸着部材で調湿した室外空気を室内へ供給する調湿装置に関するものである。
【背景技術】
【０００２】
従来より、取り込んだ室外空気を除湿又は加湿して室内へ供給する調湿装置が知られている（例えば、特許文献１参照）。
【０００３】
特許文献１に係る調湿装置は、吸着剤が担持された２つの吸着熱交換器が接続された冷媒回路を備えていて、一方の吸着熱交換器を蒸発器として機能させて空気中の水分を吸着させる吸着動作（除湿）を行わせる一方、他方の吸着熱交換器を凝縮器として機能させて吸着剤から水分を離脱させる再生動作（加湿）とを行わせている。そして、冷媒回路の冷媒循環方向を切り換えることによって、２つの吸着熱交換器の動作を入れ換えることができる。
【０００４】
具体的に、除湿運転においては、前記調湿装置は、取り込んだ室外空気を蒸発器として機能する一方の吸着熱交換器で除湿して室内へ供給すると共に、取り込んだ室内空気を凝縮器として機能する他方の吸着熱交換器で加湿して室外へ排出する。次に、冷媒回路の冷媒循環方向並びに室外空気及び室内空気の空気流路を切り換えて、取り込んだ室外空気を蒸発器として機能する他方の吸着熱交換器で除湿して室内へ供給すると共に、取り込んだ室内空気を凝縮器として機能する一方の吸着熱交換器で加湿して室外へ排出する。このように、調湿装置は、冷媒循環方向及び空気流路を交互に切り換えながら除湿運転を継続して実行する。
【０００５】
一方、加湿運転においては、前記調湿装置は、取り込んだ室外空気を凝縮器として機能する一方の吸着熱交換器で加湿して室内へ供給すると共に、取り込んだ室内空気を蒸発器として機能する他方の吸着熱交換器で除湿して室外へ排出する。次に、冷媒回路の冷媒循環方向並びに室外空気及び室内空気の空気流路を切り換えて、取り込んだ室外空気を凝縮器として機能する他方の吸着熱交換器で加湿して室内へ供給すると共に、取り込んだ室内空気を蒸発器として機能する一方の吸着熱交換器で除湿して室外へ排出する。このように、調湿装置は、冷媒循環方向及び空気流路を交互に切り換えながら加湿運転を継続して実行する。
【特許文献１】特開２００５−２８３０５３号公報
【発明の開示】
【発明が解決しようとする課題】
【０００６】
ところで、かかる調湿装置においては、停止状態から運転を開始するときには、起動制御を行う必要がある。すなわち、膨張弁の開度と圧縮機の運転周波数を調節しながら、冷媒回路における冷媒の循環を開始させ、冷媒回路における冷凍サイクルが、除湿及び加湿運転を実行することが可能な所定の状態となるようにする起動制御が通常行われる。
【０００７】
このとき、圧縮機に液冷媒が戻ってこないように、電動弁で冷媒の循環量及び圧力を調節される。つまり、起動制御時には、電動弁の開度を比較的絞った状態で冷凍サイクルが行われるため、冷媒回路の低圧は大きく低下する。低圧が低下すると、蒸発器として機能する吸着熱交換器の側では、空気から吸着剤への吸着が促進されることになる。
【０００８】
ここで、吸着剤には、空気中の水分（水蒸気）だけでなく、アンモニア等の臭気物質も吸着されている。この臭気物質は、吸着剤の含水量（即ち、吸着剤に吸着されているＨ2Ｏの量）が増大してゆくと、吸着剤に吸着されてきた水によって追い出されて吸着剤から脱離してゆく。
【０００９】
つまり、冷凍サイクルの低圧が下がりすぎると、水分と入れ代わって、多くの臭気物質が吸着剤から空気中へ脱離する。この臭気物質は室内へ送り込まれる場合があり、その結果、室内の快適性を損なう虞がある。
【００１０】
本発明は、かかる点に鑑みてなされたものであり、その目的とするところは、調湿装置の起動時において、臭気物質によって室内の快適性が害されることを防止することにある。
【課題を解決するための手段】
【００１１】
第１の発明は、圧縮機（53）が接続された冷媒回路（50）と、空気中の水分を吸着する吸着部材（51,52）と、該吸着部材（51,52）を収容するケーシング（11）とを備え、前記圧縮機（53）を作動させることで前記冷媒回路（50）に冷凍サイクルを行わせながら該ケーシング（11）内を流通する空気を前記吸着部材（51,52）で調湿する調湿装置が対象である。そして、前記ケーシング（11）内に配設されて、前記圧縮機（53）を起動させるときには、空気の流路を、室外空気を該ケーシング（11）内に流入させて前記吸着部材（51,52）を通過させた後に室外へ流出させる第１流路に設定する一方、室外空気を調湿して室内へ供給するときには、空気の流路を、室外空気を該ケーシング（11）内に流入させて前記吸着部材（51,52）を通過させた後に室内へ流入させる第２流路に設定する流路設定機構（41〜48,83,84）をさらに備え、前記冷媒回路（50）には、表面に吸着剤を担持する２つの吸着熱交換器（51,52）が前記吸着部材として接続され、前記吸着熱交換器（51,52）を通過する空気の湿度を調節するために、前記冷媒回路（50）の冷媒の循環方向を交互に切り換えることによって、２つの吸着熱交換器（51,52）の一方が水分を吸着する吸着動作を行い且つ他方が水分を脱離させる再生動作を行う状態と、一方が再生動作を行い且つ他方が吸着動作を行う状態とが交互に切り換わるように構成され、前記第１流路は、前記ケーシング（11）内に流入した室外空気の一部が一方の前記吸着熱交換器（51）を通過して室外へ排出され、その残りが他方の前記吸着熱交換器（52）を通過して室外へ排出される流路である一方、前記冷媒回路（50）には、膨張弁（55）が接続され、前記圧縮機（53）を起動させるときには、液冷媒が該圧縮機（53）に吸入されないように前記膨張弁（55）の開度を絞った状態で、該圧縮機（53）を所定の運転状態に制御する起動制御を行い、前記圧縮機（53）が運転されている状態において、前記膨張弁（55）が全閉状態であるときに所定の弁開条件が成立すると前記膨張弁（55）を開いて所定開度に固定し、前記膨張弁（55）が所定開度に固定された状態であるときに所定の弁閉条件が成立すると前記膨張弁（55）を全閉状態にする動作を、前記起動制御として行うものとする。
【００１２】
前記の構成の場合、室外空気を調湿して室内へ供給するときには、流路設定機構（41〜48,83,84）によって空気の流路を第２流路に切り換えることで、室外空気に吸着部材（51,52）を通過させて調湿した後に該室外空気を室内に供給するのに対し、前記圧縮機（53）を起動させるときには、流路設定機構（41〜48,83,84）によって空気の流路を第１流路に切り換えることで、室外空気に吸着部材（51,52）を通過させた後に再び室外へ流出させる。こうすることによって、圧縮機（53）の起動時に吸着部材（51,52）から臭気物質が放出されたとしても、該臭気物質は室外へ排出されるため、臭気物質が室内へ送り込まれることを防止することができる。また、起動制御の観点からは、吸着部材（51,52）からの臭気物質の放出を考慮することなく、圧縮機（53）の挙動や冷媒サイクルの状態だけを考慮して起動を行うことができる。
【００１３】
また、前記の構成の場合、前記起動制御を行う際には、前記膨張弁（55）の開度が絞られるため、冷凍サイクルにおける低圧が大きく低下する傾向にある。その結果、吸着部材（51,52）においては水分の吸着が促進されるのに伴って、吸着部材（51,52）からの臭気物質の離脱も促進される。それに対し、この起動制御時には、ケーシング（11）内の空気の流路を前記第１流路に切り換えることによって、空気中に離脱した臭気物質を室外に排出することができる。
【００１４】
また、前記の構成の場合、前記吸着熱交換器（51,52）が前記吸着部材を構成する。この吸着熱交換器（51,52）は吸着動作を行う際にはその内部に低圧冷媒が流れることになる。つまり、低圧冷媒の低圧が大きく低下すると、該吸着熱交換器（51,52）では吸着動作が促進され、それと同時に、吸着熱交換器（51,52）からの臭気物質の離脱も促進される。それに対して、本発明では、低圧が大きく低下する傾向にある起動時には、ケーシング内の空気の流路を前記第１流路に切り換えることによって、少なくとも吸着動作を行う吸着熱交換器（51,52）を通過する空気が室外へ排出されるため、空気中に離脱する臭気物質が増加した場合でも、その臭気物質を室外に排出することができる。
【００１５】
第２の発明は、第１の発明において、前記ケーシング（11）内には、吸着部材（51,52）を収容する吸着部材室（37,38）と、室外空気を該吸着部材室（37,38）まで導く外気側通路（34）と、該吸着部材室（37,38）から空気を室外へ導く排気側通路（33）と、該吸着部材室（37,38）から空気を室内へ導く給気側通路（31）とが形成されており、前記流路設定機構（41〜48,83,84）は、前記吸着部材室（37,38）と、前記外気側通路（34）、前記排気側通路（33）及び前記給気側通路（31）のそれぞれとの間に設けられ、各通路を該吸着部材室（37,38）とそれぞれ断続させる開閉機構（41〜48,83,84）を有し、該開閉機構（41〜48,83,84）をそれぞれ制御することで、前記外気側通路（34）と前記排気側通路（33）とを前記吸着部材室（37,38）を介して連通させて前記第１流路を形成する一方、前記外気側通路（34）と前記給気側通路（31）とを前記吸着部材室（37,38）を介して連通させて前記第２流路を形成するものとする。
【００１６】
前記の構成の場合、前記外気側通路（34）、前記排気側通路（33）及び前記給気側通路（31）のそれぞれと前記吸着部材室（37,38）との連通状態を前記開閉機構（41〜48,83,84）で制御することによって、ケーシング（11）内の空気の流路を第１流路と第２流路とに切り換えることができる。
【００１７】
第３の発明は、第１又は第２の発明において、前記弁開条件は、前記冷媒回路（50）が行う冷凍サイクルの高圧が第１高圧閾値より高くなるという条件と、該冷凍サイクルの低圧が第１低圧閾値より低くなるという条件との何れかを満たすという条件であり、前記弁閉条件は、前記冷媒回路（50）が行う冷凍サイクルの高圧が第２高圧閾値より低くなるという条件、該冷凍サイクルの低圧が第２低圧閾値より高くなるという条件、及び前記圧縮機（53）の吸入冷媒の過熱度が所定の過熱閾値よりも小さいという条件の全てを満たすという条件であり、前記第２高圧閾値が前記第１高圧閾値よりも低く、前記第２低圧閾値が前記第１低圧閾値よりも高いものとする。
【発明の効果】
【００１８】
本発明によれば、圧縮機（53）を起動させるときには室外空気に吸着部材（51,52）を通過させて、再度室外へ流出させることによって、圧縮機（53）の起動時に吸着部材（51,52）から離脱する臭気物質が室内へ流入することを防止して、室内の快適性を悪化させることを防止することができる。
【００１９】
また、本発明によれば、圧縮機（53）の起動制御時に膨張弁（55）の弁開度が絞られて冷凍サイクルの低圧が大きく低下する傾向にあるため、吸着部材（51,52）から臭気物質が離脱し易いにもかかわらず、臭気物質が室内に流入して室内の快適性を悪化させることを防止することができる。
【００２０】
また、本発明によれば、吸着熱交換器を用いているため、起動制御時には、吸着動作をする（蒸発器として機能する）吸着熱交換器で臭気物質の離脱の促進が不可避となるが、圧縮機（53）の起動時に空気の流路を第１流路に切り換えることによって、臭気物質を室外へ排出して、室内の快適性を悪化させることを確実に防止することができる。
【００２１】
第２の発明によれば、ケーシング（11）内において、前記外気側通路（34）、排気側通路（33）及び給気側通路（31）のそれぞれと前記吸着部材室（37,38）との連通状態を前記開閉機構（41〜48,83,84）で制御することによって、ケーシング（11）内の空気の流路を第１流路と第２流路とに容易に切り換えることができる。
【発明を実施するための最良の形態】
【００２２】
以下、本発明の実施形態を図面に基づいて詳細に説明する。
【００２３】
本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２４】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２５】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）及び電動膨張弁（55）が接続されている。冷媒回路（50）の詳細は後述する。
【００２６】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２７】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２８】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００２９】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３０】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３１】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３２】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３３】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。これら第１及び第２熱交換器室（37,38）が空気通路及び吸着部材室を構成する。
【００３４】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３５】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３６】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３７】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３８】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００３９】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４０】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４１】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４２】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４３】
これら給気側通路（31）、内気側通路（32）、排気側通路（33）、外気側通路（34）、排気ファン室（35）、給気ファン室（36）、第１バイパス通路（81）及び第２バイパス通路（82）が空気通路を構成する。また、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、第２排気側ダンパ（48）、第１バイパス用ダンパ（83）及び第２バイパス用ダンパ（84）が流路設定機構及び開閉機構を構成する。
【００４４】
なお、図２の右側面図及び左側面図では、第１バイパス通路（81）、第２バイパス通路（82）、第１バイパス用ダンパ（83）、及び第２バイパス用ダンパ（84）の図示を省略している。
【００４５】
〈冷媒回路の構成〉
図３に示すように、冷媒回路（50）は、第１吸着熱交換器（51）、第２吸着熱交換器（52）、圧縮機（53）、四方切換弁（54）、電動膨張弁（55）及びアキュームレータ（56）が設けられた閉回路である。この冷媒回路（50）は、充填された冷媒を循環させることによって、蒸気圧縮冷凍サイクルを行う。この冷媒回路（50）が調湿手段を構成する。
【００４６】
冷媒回路（50）において、圧縮機（53）は、その吐出側が四方切換弁（54）の第１のポートに、その吸入側が四方切換弁（54）の第２のポートにそれぞれ接続されている。圧縮機（53）の吸入側と四方切換弁（54）の第２のポートとの間にはアキュームレータ（56）が介設されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４７】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４８】
圧縮機（53）は、冷媒を圧縮する圧縮機構と、圧縮機構を駆動する電動機とが１つのケーシングに収容された全密閉型の圧縮である。圧縮機（53）の電動機へ供給する交流の周波数（即ち、圧縮機（53）の運転周波数）を変化させると、電動機により駆動される圧縮機構の回転速度が変化し、単位時間当たりに圧縮機（53）から吐出される冷媒の量が変化する。つまり、この圧縮機（53）、容量可変に構成されている。
【００４９】
冷媒回路（50）において、圧縮機（53）の吐出側と四方切換弁（54）の第１のポートとを繋ぐ配管には、高圧圧力センサ（91）と吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００５０】
また、冷媒回路（50）において、圧縮機（53）の吸入側と四方切換弁（54）の第２のポートとを繋ぐ配管には、低圧圧力センサ（92）と吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００５１】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５２】
〈コントローラの構成〉
調湿装置（10）には、制御部としてのコントローラ（60）が設けられている。図１及び図２では省略されているが、ケーシング（11）の前面パネル部（12）には電装品箱が取り付けられており、この電装品箱に収容された制御基板がコントローラ（60）を構成している。
【００５３】
コントローラ（60）には、内気湿度センサ（96）、内気温度センサ、外気湿度センサ（97）、及び外気温度センサの計測値が入力されている。また、コントローラ（60）には、冷媒回路（50）に設けられた各センサ（91,92,…）の計測値が入力されている。さらに、コントローラ（60）には、ユーザが操作するリモコン（図示省略）等から出力される操作信号が入力されている。
【００５４】
コントローラ（60）は、入力されたこれら操作信号及び計測値に基づいて、調湿装置（10）の運転制御を行う。具体的には、コントローラ（60）は、各ダンパ（41〜48,83,84）、各ファン（25,26）、圧縮機（53）、四方切換弁（54）及び電動膨張弁（55）の動作を制御して、調湿装置（10）の運転制御を行う。調湿装置（10）では、コントローラ（60）の制御動作によって、後述する除湿換気運転と加湿換気運転と単純換気運転とが切り換えられる。
【００５５】
−運転動作−
本実施形態の調湿装置（10）は、除湿換気運転と、加湿換気運転と、単純換気運転とを選択的に行う。この調湿装置（10）は、除湿換気運転と加湿換気運転とを調湿運転として行う。
【００５６】
〈除湿換気運転〉
除湿換気運転中の調湿装置（10）では、後述する第１動作と第２動作が所定の時間間隔（例えば３〜４分間隔）で交互に繰り返される。この除湿換気運転中において、第１バイパス用ダンパ（83）及び第２バイパス用ダンパ（84）は、常に閉状態となる。
【００５７】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００５８】
先ず、除湿換気運転の第１動作について説明する。図４に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００５９】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６０】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６１】
次に、除湿換気運転の第２動作について説明する。図５に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６２】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６３】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６４】
〈加湿換気運転〉
加湿換気運転中の調湿装置（10）では、後述する第１動作と第２動作が所定の時間間隔（例えば３〜４分間隔）で交互に繰り返される。この加湿換気運転中において、第１バイパス用ダンパ（83）及び第２バイパス用ダンパ（84）は、常に閉状態となる。
【００６５】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６６】
先ず、加湿換気運転の第１動作について説明する。図６に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６７】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００６８】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００６９】
次に、加湿換気運転の第２動作について説明する。図７に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７０】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７１】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７２】
〈単純換気運転〉
単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。ここでは、単純換気運転中の調湿装置（10）の動作について、図８を参照しながら説明する。
【００７３】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００７４】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７５】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００７６】
−起動制御−
このように除湿換気運転や加湿換気運転や単純換気運転を行う調湿装置（10）は、調湿運転等を停止した停止状態から、調湿運転等を開始するときには、起動制御を行う。
【００７７】
以下に、起動制御について、図９のフローチャートを参照して詳しく説明する。
【００７８】
コントローラ（60）は、ステップＳ１において、第１外気側ダンパ（43）、第２外気側ダンパ（44）、第１排気側ダンパ（47）、及び第２排気側ダンパ（48）を開状態とする一方、第１内気側ダンパ（41）、第２内気側ダンパ（42）、第１給気側ダンパ（45）、第２給気側ダンパ（46）、第１バイパス用ダンパ（83）、及び第２バイパス用ダンパ（84）を閉状態とする。こうすることで、上流端に外気吸込口（24）が設けられた外気側通路（34）が第１及び第２熱交換器室（37,38）と連通すると共に、下流端に排気口（21）が設けられた排気側通路（33）が第１及び第２熱交換器室（37,38）と連通する。
【００７９】
次に、コントローラ（60）は、ステップＳ２において、排気ファン（25）の運転を開始する。このとき、給気ファン（26）は停止したままである。
【００８０】
こうすることで、図１０に示すように、外気側通路（34）へ流入した室外空気は、その一部が第１外気側ダンパ（43）を通って第１熱交換器室（37）へ流入し、残りが第２外気側ダンパ（44）を通って第２熱交換器室（38）へ流入する。第１熱交換器室（37）へ流入した空気は、第１吸着熱交換器（51）を通過後に第１排気側ダンパ（47）を通って排気側通路（33）へ流入する。第２熱交換器室（38）へ流入した空気は、第２吸着熱交換器（52）を通過後に第２排気側ダンパ（48）を通って排気側通路（33）へ流入する。そして、排気側通路（33）へ流入した空気は、排気ファン室（35）へ流入し、排気口（21）を通って室外へ排出される。つまり、外気吸込口（24）からケーシング（11）内へ流入した室外空気は、第１及び第２吸着熱交換器（51,52）を通過して、排気口（21）から室外へ流出していく（以下、外気循環運転ともいう）。
【００８１】
こうして形成された、外気吸込口（24）から外気側通路（34）、第１熱交換器室（37）及び排気側通路（33）を介して排気口（21）へ通じる流路、並びに、外気吸込口（24）から外気側通路（34）、第２熱交換器室（38）及び排気側通路（33）を介して排気口（21）へ通じる流路が第１流路を構成する。一方、前記調湿運転時の、外気吸込口（24）から外気側通路（34）、第１熱交換器室（37）及び給気側通路（31）を介して給気口（22）へ通じる流路、並びに、外気吸込口（24）から外気側通路（34）、第２熱交換器室（38）及び給気側通路（31）を介して給気口（22）へ通じる流路が第２流路を構成する。
【００８２】
続いて、コントローラ（60）は、ステップＳ３において起動時膨張弁制御を、ステップＳ４において起動時圧縮機制御を実行する。これらの制御の詳細については、後述する。      
【００８３】
そして、コントローラ（60）は、ステップＳ５において、起動制御を開始してから所定の起動制御時間が経過したか否かを判定する。経過しているときにはステップＳ６へ進む一方、経過していないときにはステップＳ５を繰り返して、起動制御時間が経過するまで待機する。
【００８４】
ステップＳ６では、コントローラ（60）は、後述する起動時膨張弁制御において電動膨張弁（55）のＰＩ制御が実行されているか否かを判定する。そして、ＰＩ制御が実行されているときにはステップＳ７へ進む一方、ＰＩ制御が実行されていないときにはステップＳ６を繰り返して電動膨張弁（55）の制御がＰＩ制御に移行するまで待機する。
【００８５】
ステップＳ７では、起動制御を完了して、コントローラ（60）に入力されている所望の運転（調湿運転等）を開始する。
【００８６】
〈起動時圧縮機制御〉
まず、起動時圧縮機制御について、図１１のフローチャートを参照して説明する。
【００８７】
コントローラ（60）は、ステップＳａ１において、圧縮機（53）の運転周波数を所定の最低起動周波数に設定して、圧縮機（53）の運転を開始する。
【００８８】
次に、コントローラ（60）は、ステップＳａ２において、圧縮機（53）の運転を開始してから所定の暖機時間が経過したか否かを判定する。そして、暖機時間を経過しているときにはステップＳａ３へ進む一方、経過していないときにはステップＳａ２を繰り返して暖機時間が経過するまで待機する。この暖機時間は、冷媒回路（50）内に油が行き渡り且つ、その油温が或る程度上昇するのに要する時間に設定されている。つまり、ステップＳａ３へ進むときには、冷媒回路（50）内に油が行き渡り、油温が圧縮機（53）等の運転に支障がない程度上昇した状態となっている。
【００８９】
そして、ステップＳａ３においては、コントローラ（60）は、起動最低差圧保持制御を行う。詳しくは、コントローラ（60）は、冷媒回路（50）の高低差圧が所定の起動時差圧閾値より大きくなるように、圧縮機（53）の運転周波数を、前記最低起動周波数と、四方切換弁（54）を切り換えるために必要な最低の運転周波数である切換下限周波数（＞最低起動周波数）との間で制御する。その後、リターンする。
【００９０】
〈起動時膨張弁制御〉
次に、起動時膨張弁制御について、図１２のフローチャートを参照して説明する。この起動時膨張弁制御は、前述の起動時圧縮機制御と同時に行われる。
【００９１】
コントローラ（60）は、ステップＳｂ１において、電動膨張弁（55）の開度を全閉状態に設定する。
【００９２】
次に、コントローラ（60）は、ステップＳｂ２において、所定の弁開条件が成立したか否かを判定する。ここで、弁開条件とは、高圧が所定の第１高圧閾値より高くなるか、又は、低圧が所定の第１低圧閾値より低くなるかの何れかを満たすことである。
【００９３】
つまり、電動膨張弁（55）を全閉状態に制御している間、圧縮機（53）は起動時圧縮機制御により最低起動周波数で運転されている。この状態がしばらく継続すると、冷媒回路（50）の冷凍サイクルにおいては、やがて高圧が上昇すると共に、低圧が低下する。
【００９４】
そこで、コントローラ（60）は、高圧圧力センサ（91）及び低圧圧力センサ（92）の検出結果を監視して、前記弁開条件が成立したか否かを判定している。そして、弁開条件が成立したときにはステップＳｂ３へ進む一方、弁開条件が成立していないときにはステップＳｂ２を繰り返して弁開条件が成立するまで待機する。
【００９５】
そして、ステップＳｂ３において、コントローラ（60）は、電動膨張弁（55）の開度を所定の固定開度に設定する。この固定開度は、冷媒が液状態のまま圧縮機（53）に戻ってこないように微小な値に設定されている。
【００９６】
次に、コントローラ（60）は、ステップＳｂ４において、所定の弁閉条件が成立するか否かを判定している。ここで、弁閉条件とは、高圧が所定の第２高圧閾値（＜第１高圧閾値）より低くなる、低圧が所定の第２低圧閾値（＞第１低圧閾値）より高くなる、過熱度が所定の過熱閾値よりも小さくなるという全てを満たすことである。
【００９７】
この弁閉条件を満たすときにはステップＳｂ１へ戻って電動膨張弁（55）の開度を全閉状態に設定する一方、弁閉条件を満たしていないときにはステップＳｂ５へ進む。つまり、該弁閉条件を満たす場合には、高圧を上昇させ且つ、低圧を低下させ且つ、過熱度を大きくすべく、電動膨張弁（55）の弁開度を全閉状態としたまま圧縮機（53）の運転を行う。
【００９８】
そして、ステップＳｂ５において、コントローラ（60）は、所定のＰＩ制御移行条件が成立するか否かを判定している。ここで、ＰＩ制御移行条件とは、高低差圧が所定のＰＩ差圧閾値より大きくなる、及び過熱度が所定の過熱閾値以上となるという両方を満たすことである。これら差圧閾値及び過熱閾値は、調湿運転等を行うために必要最低限の値である。
【００９９】
このＰＩ制御移行条件を満たすときにはステップＳｂ６へ進む一方、ＰＩ制御移行条件を満たさないときにはステップＳｂ４へ戻って、弁閉条件及びＰＩ制御移行条件の判定を繰り返す。
【０１００】
そして、ステップＳｂ６においては、コントローラ（60）は、過熱度が所定の過熱閾値となるように、電動膨張弁（55）の弁開度をＰＩ制御する。その後、リターンする。
【０１０１】
これら起動時圧縮機制御及び起動時膨張弁制御は、前述の如く、起動制御時間が経過し且つ電動膨張弁（55）がＰＩ制御に移行するまで続けられる。起動制御が完了したときには、調湿装置（10）は、調湿運転等の運転をいつでも開始できる状態となっている。
【０１０２】
このように、起動制御が行われているときには、前述の如く、電動膨張弁（55）の開度が微小な値に設定され得る。電動膨張弁（55）の開度が絞られると、冷媒回路（50）の低圧が大きく低下する。第１及び第２吸着熱交換器（51,52）のうち低圧冷媒が流通する方の吸着熱交換器は蒸発器として機能する。この蒸発器として機能する吸着熱交換器においては、室外空気中の水分が吸着剤に吸着され、その際に生じる吸着熱を吸熱して冷媒が蒸発する。つまり、低圧が大きく低下すると、蒸発器として機能する吸着熱交換器において水分の吸着が増進される。
【０１０３】
ここで、第１及び第２吸着熱交換器（51,52）の吸着剤には、空気中の水分だけでなく、アンモニア等の臭気物質も吸着される。そのため、該第１及び第２吸着熱交換器（51,52）には、このような臭気物質が或る程度蓄積している。
【０１０４】
一方、調湿装置（10）は空気の湿度を調節するためのものであるため、第１及び第２吸着熱交換器（51,52）の吸着剤としては水を吸着する能力の高い吸着剤が用いられる。また、空気中に存在する水蒸気の量は臭気物質の量に比べて非常に多いため、空気における水蒸気の分圧は臭気物質の分圧に比べて非常に高い。そのため、吸着熱交換器（51,52）の吸着剤に対する吸着力は、水の方が臭気物質に比べて高くなる。
【０１０５】
そうすると、蒸発器として機能する吸着熱交換器においては、吸着剤に対する吸着力の強い水蒸気が優先的に吸着剤に吸着され、それまで吸着剤に吸着されていたアンモニア等の臭気物質が吸着剤から脱離してゆく。そして、前述の如く、低圧が大きく低下する起動制御中においては、水分の吸着が増進されると同時に、臭気物質の離脱も増進されることになる。
【０１０６】
それに対して、本実施形態に係る調湿装置（10）は、前記起動制御中に外気循環運転を行うように構成されている。これにより、起動制御中に第１及び第２吸着熱交換器（51,52）から空気中に離脱した臭気物質は、ケーシング（11）内に流入した室外空気に乗って、室外へ排出される。
【０１０７】
−実施形態の効果−
したがって、本実施形態によれば、調湿装置（10）の起動制御中に第１及び第２吸着熱交換器（51,52）から空気中に臭気物質が離脱したとしても、調湿装置（10）に外気循環運転を行わせることによって、臭気物質を室外に排出することができ、臭気物質が室内へ流入して室内の快適性を害することを防止することができる。
【０１０８】
特に、起動制御中は、電動膨張弁（55）の開度が絞られて冷媒回路（50）の低圧が大きく低下するため、臭気物質の離脱が促進されるが、調湿装置（10）に外気循環運転を行わせることによって、臭気物質が室内へ流入して室内の快適性を害することを確実に防止することができ、非常に有効である。
【０１０９】
また、このように起動制御中に空気中に離脱する臭気物質を室外へ排出することによって、起動制御においては、臭気物質の離脱を考慮することなく、圧縮機（53）や電動膨張弁（55）を制御して、調湿装置（10）を所望の起動時状態にすることができる。
【０１１０】
さらに、本実施形態に係る調湿装置（10）では、各ダンパ（41〜48,83,84）の開閉及び排気ファン（25）の運転を制御することによって、臭気物質を室外へ容易に排出することができる。
【０１１１】
−実施形態の変形例１−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１１２】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【０１１３】
なお、以上の実施形態は、本質的に好ましい例示であって、本発明、その適用物、あるいはその用途の範囲を制限することを意図するものではない。
【産業上の利用可能性】
【０１１４】
以上説明したように、本発明は、室内の湿度調節を行うための調湿装置について有用である。
【図面の簡単な説明】
【０１１５】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】除湿換気運転の第１動作における空気の流れを示す調湿装置の概略の平面図、右側面図、及び左側面図である。
【図５】除湿換気運転の第２動作における空気の流れを示す調湿装置の概略の平面図、右側面図、及び左側面図である。
【図６】加湿換気運転の第１動作における空気の流れを示す調湿装置の概略の平面図、右側面図、及び左側面図である。
【図７】加湿換気運転の第２動作における空気の流れを示す調湿装置の概略の平面図、右側面図、及び左側面図である。
【図８】単純換気運転における空気の流れを示す調湿装置の概略の平面図、右側面図、及び左側面図である。
【図９】コントローラの起動制御動作を示すフローチャートである。
【図１０】外気循環運転における空気の流れを示す調湿装置の概略の平面図、右側面図、及び左側面図である。
【図１１】コントローラの起動時圧縮機制御動作を示すフローチャートである。
【図１２】コントローラの起動時膨張弁制御動作を示すフローチャートである。
【符号の説明】
【０１１６】
10    調湿装置
11    ケーシング
31    給気側通路
33    排気側通路
34    外気側通路
37    第１熱交換器室（吸着部材室）
38    第２熱交換器室（吸着部材室）
41    第１内気側ダンパ（流路設定機構、開閉機構）
42    第２内気側ダンパ（流路設定機構、開閉機構）
43    第１外気側ダンパ（流路設定機構、開閉機構）
44    第２外気側ダンパ（流路設定機構、開閉機構）
45    第１給気側ダンパ（流路設定機構、開閉機構）
46    第２給気側ダンパ（流路設定機構、開閉機構）
47    第１排気側ダンパ（流路設定機構、開閉機構）
48    第２排気側ダンパ（流路設定機構、開閉機構）
50    冷媒回路
51    第１吸着熱交換器（吸着部材）
52    第２吸着熱交換器（吸着部材）
53    圧縮機
55    電動膨張弁（膨張弁）
83    第１バイパス用ダンパ（流路設定機構、開閉機構）
84    第２バイパス用ダンパ（流路設定機構、開閉機構）
【図１】
0005194719.tif 000002
【図２】
0005194719.tif 000003
【図３】
0005194719.tif 000004
【図４】
0005194719.tif 000005
【図５】
0005194719.tif 000006
【図６】
0005194719.tif 000007
【図７】
0005194719.tif 000008
【図８】
0005194719.tif 000009
【図９】
0005194719.tif 000010
【図１０】
0005194719.tif 000011
【図１１】
0005194719.tif 000012
【図１２】
0005194719.tif 000013